(57)【要約】      （修正有）【課題】視認性を確実に確保でき、かつ、作業環境の悪化を防止する防虫カバーを提供する。【解決手段】防虫カバーは、ユーザーが着用しているヘルメット７００の大きさの貫通孔５１１が形成されている環状部材５１０と、環状部材の前半分の領域において、外周縁から下方に延びる透明板部材５２０と、環状部材の外周縁の後半分の領域において、外周縁から下方に延びるメッシュ部材５３０と、透明板部材及びメッシュ部材と連続してこれらの下方に延び、ユーザーの少なくとも首を覆う防虫カバー本体５４０とを備える。【選択図】図１
0003158974.tif 000002
【実用新案登録請求の範囲】
【請求項１】
ユーザーの頭及び顔を覆う防虫カバーであって、
前記ユーザーが着用しているヘルメットを嵌合し得る大きさの貫通孔が形成されている環状部材と、
前記環状部材の外周縁のうちの少なくとも半分の領域において、前記外周縁から下方に延びる透明板部材と、
前記環状部材の外周縁のうちの残りの領域において、前記外周縁から下方に延びるメッシュ部材と、
前記透明板部材及び前記メッシュ部材と連続して前記透明板部材及び前記メッシュ部材の下方に延び、前記ユーザーの少なくとも首を覆う防虫カバー本体と、
を備える防虫カバー。
【請求項２】
前記メッシュ部材はＮ個のメッシュ層からなるＮ層構造（Ｎは２以上の整数）であることを特徴とする請求項１に記載の防虫カバー。
【請求項３】
前記メッシュ層は、最も外側に位置するメッシュ層が最も大きい硬度を有しており、内側に位置するメッシュ層ほど硬度が小さくなるものであることを特徴とする請求項２に記載の防虫カバー。
【請求項４】
前記貫通孔の中心は、前記環状部材の中心よりも前記メッシュ部材の側に偏心していることを特徴とする請求項１乃至３の何れか一項に記載の防虫カバー。
【請求項５】
前記防虫カバー本体のうち、前記透明板部材の下方に位置する領域はメッシュ部材からなり、当該メッシュ部材は、外側に位置する外側メッシュ層と内側に位置する内側メッシュ層とからなる二層構造を有しており、前記外側メッシュ層は前記内側メッシュ層よりも硬質であることを特徴とする請求項１乃至４の何れか一項に記載の防虫カバー。
【請求項６】
前記環状部材は、第一環状部材と、前記第一環状部材の下方において、前記ヘルメットの鍔を挟み込むスペースが形成される程度の距離に隔置される第二環状部材とからなり、
前記第一環状部材及び前記第二環状部材の少なくとも何れか一方を支持する少なくとも一つの剛性の芯材を備えることを特徴とする請求項１乃至５の何れか一項に記載の防虫カバー。
【考案の詳細な説明】
【技術分野】
【０００１】
本考案は、蜂その他の害虫を駆除する際に害虫から顔や頭部を防護するために顔及び頭部の全体を覆う防虫カバーに関する。
【背景技術】
【０００２】
このような防虫カバーの一つとして特開２００４−２０４３９０号公報に記載されたものがある。
【０００３】
図３は同公報に記載された防虫カバーの概略的な斜視図である。
【０００４】
図３に示す従来の防虫カバー１００は、頭部１０１と、透明板１０２と、防虫カバー本体１０３と、から構成されており、この防虫カバー１００が防虫服本体１０５にファスナー２１１Ｃを介して連結されている。
【０００５】
透明板１０２は円筒状の透明樹脂からなり、３６０度の視界を確保することを可能にしている。
【０００６】
透明板１０２の上方には、ネット材により形成された頭部１０１が形成されており、その頭頂部には、ヘルメット１０６に嵌合可能な貫通孔１０７が設けられている。
【０００７】
透明板１０２の下方には、ネット材による防虫カバー本体１０３が設けられている。
【０００８】
頭部１０１、透明板１０２及び防虫カバー本体１０３はファスナー２１１Ａ及び２１１Ｂを介して着脱自在に連結されている。
【考案の概要】
【考案が解決しようとする課題】
【０００９】
しかしながら、上記の従来の防虫カバー１００には以下のような問題点があった。
【００１０】
第一の問題点は、３６０度の視界を必ずしも確保することができないことがあるという点である。
【００１１】
透明板１０２は樹脂からなるため、通気性を有していない。このため、内部の湿度が大きくなると、透明板１０２が曇ってしまい、あるいは、ユーザーが吐く息によっても透明板１０２が曇ることがあり、逆に、視界を悪くしてしまうことがあった。換言すれば、視認性を重視して周囲を３６０度透明にしたが、これが逆に視認性を阻害する原因となっている。
【００１２】
第二の問題点は、作業環境の悪化が招来されることがあるという点である。
【００１３】
上記のように、透明板１０２は樹脂製であるため、非通気性であり、かつ、低伝熱性である。すなわち、透明板１０２は空気を通さず、かつ、熱を逃がさない。このため、透明板１０２の内部には熱が溜まりやすい。特に、夏などの高温多湿の日に防虫カバー１００を被って作業を行う場合、透明板１０２の内部に熱が溜まり、作業者が多量に発汗し、作業効率を低下させる原因となっていた。
【００１４】
本考案は以上のような従来の防虫カバーにおける問題点に鑑みてなされたものであり、視認性を確実に確保することができ、かつ、作業環境の悪化を招くことのない防虫カバーを提供することを目的とする。
【課題を解決するための手段】
【００１５】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【００１６】
上記の目的を達成するため、本考案は、ユーザーの頭及び顔を覆う防虫カバー（５００）であって、前記ユーザーが着用しているヘルメット（７００）を嵌合し得る大きさの貫通孔（５１１）が形成されている環状部材（５１０）と、前記環状部材（５１０）の外周縁のうちの少なくとも半分の領域において、前記外周縁から下方に延びる透明板部材（５２０）と、前記環状部材（５１０）の外周縁のうちの残りの領域において、前記外周縁から下方に延びるメッシュ部材（５３０）と、前記透明板部材（５２０）及び前記メッシュ部材（５３０）と連続して前記透明板部材（５２０）及び前記メッシュ部材（５３０）の下方に延び、前記ユーザーの少なくとも首を覆う防虫カバー本体（５４０）と、を備える防虫カバー（５００）を提供する。
【００１７】
本考案に係る防虫カバー（５００）において、前記メッシュ部材（５３０）はＮ個のメッシュ層からなるＮ層構造（Ｎは２以上の整数）であることが好ましい。また、この場合、最も外側に位置するメッシュ層が最も大きい硬度を有しており、内側に位置するメッシュ層ほど硬度が小さくなるものであることが好ましい。
【００１８】
前記貫通孔（５１１）の中心は、前記環状部材（５１０）の中心よりも前記メッシュ部材（５３０）の側に偏心していることが好ましい。
【００１９】
本考案に係る防虫カバー（５００）において、前記防虫カバー本体（５４０）のうち、前記透明板部材（５２０）の下方に位置する領域はメッシュ部材から構成することができる。例えば、当該メッシュ部材は、外側に位置する外側メッシュ層と内側に位置する内側メッシュ層とからなる二層構造を有しており、前記外側メッシュ層は前記内側メッシュ層よりも硬質である。
【００２０】
前記環状部材（６１０）は、第一環状部材（６１１）と、前記第一環状部材（６１１）の下方において、前記ヘルメット（７００）の鍔（７０１）を挟み込むスペースが形成される程度の距離に隔置される第二環状部材（６１２）とから構成することができる。
【００２１】
本考案に係る防虫カバー（６００）は、前記第一環状部材（６１１）及び前記第二環状部材（６１２）の少なくとも何れか一方を支持する少なくとも一つの剛性の芯材（６１３）を備えることができる。
【考案の効果】
【００２２】
本考案に係る防虫カバーは以下の効果を奏する。
【００２３】
第一に、視認性を確実に確保することを可能にする。
【００２４】
図３に示した従来の防虫カバー１００においては、透明板１０２の内部の湿度が大きくなると、透明板１０２が曇ってしまい、周囲に対する視認性が低下することがあった。これに対して、本考案に係る防虫カバーにおいては、ユーザーの顔の周囲の一部にはメッシュ部材が配置されているため、防虫カバーの内部の湿気はこのメッシュ部材を介して外部に放出され、さらには、外部から湿度の低い空気が防虫カバーの内部に導入される。
【００２５】
このように、本考案に係る防虫カバーによれば、メッシュ部材５３０を防虫カバーの内部の空気が外気との間の換気を常時行うことができるため、防虫カバーの内部に湿気が溜まることがなく、ひいては、従来の防虫カバー１００とは異なり、透明板部材が曇ることはなく、従って、視認性が阻害されることを防止することができる。
【００２６】
第二に、ユーザーの作業環境の悪化を防止することを可能にする。
【００２７】
図３に示した従来の防虫カバー１００においては、透明板１０２が非通気性かつ低伝熱性であるため、透明板１０２の内部には熱が溜まりやすいという問題点があった。
【００２８】
これに対して、本考案に係る防虫カバーによれば、メッシュ部材を介して防虫カバーの内部の空気が外気と常に入れ替わるため、防虫カバーの内部に熱が溜まることを防止することができる。このため、ユーザーが本考案に係る防虫カバーを着用して、夏などの高温多湿の日に作業を行っても、防虫カバーの内部の不必要な温度上昇を防止し、ユーザーの作業環境の悪化を防止することが可能であり、ひいては、ユーザーの作業効率の低下を防止することが可能である。
【００２９】
また、本考案に係る防虫カバーにおいては、メッシュ部材は、外側メッシュ層と内側メッシュ層とからなる二層構造を有するように構成し、この場合、外側メッシュ層は内側メッシュ層よりも硬質であるように設定することができる。内側メッシュ層が外側メッシュ層よりも軟質であるため、内側メッシュ層がユーザーに触れた場合であっても、ユーザーの触感の悪化を防止することができる。さらに、外側メッシュ層は内側メッシュ層よりも硬質であるため、外側メッシュ層により、メッシュ部材全体の剛性を維持することができる。
【図面の簡単な説明】
【００３０】
【図１】本考案の第一の実施形態に係る防虫カバーが使用されている状況を示す斜視図である。
【図２】図２（Ａ）は本考案の第二の実施形態に係る防虫カバーの部分的な断面図であり、図２（Ｂ）は第一環状部材、第二環状部材及び芯材の位置関係を示す分解斜視図である。
【図３】従来の防虫カバーの概略的な斜視図である。
【考案を実施するための形態】
【００３１】
（第一の実施形態）
図１は本考案の第一の実施形態に係る防虫カバー５００が使用されている状況を示す斜視図である。
【００３２】
図１に示すように、本実施形態に係る防虫カバー５００は、環状部材５１０と、透明板部材５２０と、メッシュ部材５３０と、防虫カバー本体５４０と、から構成されており、ユーザーの頭及び顔の全体を覆うことができる大きさを有している。
【００３３】
環状部材５１０は円形の板部材からなり、ある程度の剛性を有している。環状部材５１０の中央には円形の貫通孔５１１が形成されている。貫通孔５１１の大きさはユーザーが着用しているヘルメット７００を嵌合し得る大きさに設定されている。
【００３４】
後述するように、ユーザーはヘルメット７００を着用したまま、本実施形態に係る防虫カバー５００を上から被る。この際、ヘルメット７００は貫通孔５１１を介して環状部材５１０の上に突き抜ける。このように、ユーザーはヘルメット７００を着用したまま、本実施形態に係る防虫カバー５００を被ることが可能であるようになっている。
【００３５】
透明板部材５２０は透明の樹脂からなる。透明板部材５２０は、環状部材５１０の外周縁の前側半分の領域において、環状部材５１０の外周縁から下方に延びるように形成されている。すなわち、透明板部材５２０はほぼ半円柱形状をなしており、ユーザーに対しては１８０度の視界をもたらす。
【００３６】
メッシュ部材５３０は、環状部材５１０の外周縁の後側半分の領域において、環状部材５１０の外周縁から下方に延びるように形成されている。すなわち、メッシュ部材５３０は、透明板部材５２０と同様に、ほぼ半円柱形状をなしており、さらに、透明板部材５２０と同一の高さを有している。
【００３７】
メッシュ部材５３０は連結用生地５３１を介して透明板部材５２０と連結されている。このように、透明板部材５２０とメッシュ部材５３０とが連結用生地５３１を介して連結されることにより、ユーザーの顔の周囲が３６０度覆われる。
【００３８】
メッシュ部材５３０は、防虫カバー５００の外側に位置する外側メッシュ層と、防虫カバー５００の内側に位置する内側メッシュ層とからなる二層構造を有している。外側メッシュ層は内側メッシュ層よりも硬質であるように設定されている。
【００３９】
防虫カバー本体５４０は、透明板部材５２０及びメッシュ部材５３０と連続して形成され、透明板部材５２０及びメッシュ部材５３０の下方に延びている。
【００４０】
防虫カバー本体５４０は、少なくともユーザーの首を覆うことができる長さを有している。
【００４１】
防虫カバー本体５４０は、例えば、ネット状の部材からなる。
【００４２】
また、防虫カバー本体５４０は、ユーザーの作業着７５０に対して、例えば、ファスナー（図示せず）を介して、着脱自在に取り付けることが可能である。
【００４３】
以上のような構造を有する本実施形態に係る防虫カバー５００は以下のようにして使用される。
【００４４】
ヘルメット７００及び作業着７５０を着用したユーザーは、ヘルメット７００を着用したまま、本実施形態に係る防虫カバー５００を上から被る。
【００４５】
環状部材５１０には円形の貫通孔５１１が形成されているため、ヘルメット７００は貫通孔５１１を介して環状部材５１０の上方に突き抜ける。このように、ユーザーはヘルメット７００を着用したままで、本実施形態に係る防虫カバー５００を被ることが可能である。
【００４６】
次いで、必要があれば、ユーザーの作業着７５０に対してファスナー（図示せず）を介して防虫カバー本体５４０を取り付ける。
【００４７】
以上により、本実施形態に係る防虫カバー５００の装着が完了する。
【００４８】
本実施形態に係る防虫カバー５００は以下のような効果を奏する。
【００４９】
第一に、視認性を確実に確保することが可能である。
【００５０】
図３に示した従来の防虫カバー１００においては、透明板１０２の内部の湿度が大きくなると、透明板１０２が曇ってしまい、周囲に対する視認性が低下することがあった。
【００５１】
これに対して、本実施形態に係る防虫カバー５００においては、ユーザーの顔の後側にはメッシュ部材５３０が配置されているため、防虫カバー５００の内部の湿気はメッシュ部材５３０を介して外部に放出され、外部から湿度の小さい空気が防虫カバー５００の内部に導入される。
【００５２】
このように、本実施形態に係る防虫カバー５００によれば、メッシュ部材５３０を介して防虫カバー５００の内部の空気が外気と常に入れ替わるため、防虫カバー５００の内部に湿気が溜まることがなく、ひいては、従来の防虫カバー１００とは異なり、透明板部材５２０が曇ることはなく、従って、視認性が阻害されることはない。
【００５３】
第二に、ユーザーの作業環境の悪化を防止することが可能である。
【００５４】
図３に示した従来の防虫カバー１００においては、透明板１０２が非通気性かつ低伝熱性であるため、透明板１０２の内部には熱が溜まりやすいという問題点があった。
【００５５】
これに対して、本実施形態に係る防虫カバー５００によれば、メッシュ部材５３０を介して防虫カバー５００の内部の空気が外気と常に入れ替わるため、防虫カバー５００の内部に熱が溜まることを防止することができる。このため、ユーザーが本実施形態に係る防虫カバー５００を被って、夏などの高温多湿の日に作業を行う場合であっても、防虫カバー５００の内部の不必要な温度上昇を防止し、ユーザーの作業環境の悪化を防止することが可能であり、ひいては、ユーザーの作業効率の低下を防止することが可能である。
【００５６】
本実施形態に係る防虫カバー５００においては、メッシュ部材５３０は、外側メッシュ層と内側メッシュ層とからなる二層構造を有しており、外側メッシュ層は内側メッシュ層よりも硬質であるように設定されている。
【００５７】
内側メッシュ層が外側メッシュ層よりも軟質であるため、内側メッシュ層がユーザーに触れた場合であっても、ユーザーの触感の悪化を防止することができる。
【００５８】
さらに、外側メッシュ層は内側メッシュ層よりも硬質であるため、外側メッシュ層により、メッシュ部材５３０全体の剛性が維持される。
【００５９】
なお、本実施形態に係る防虫カバー５００は上記の構造に限定されるものではなく、種々の改変が可能である。
【００６０】
例えば、本実施形態に係る防虫カバー５００においては、ユーザーの顔の周囲の前半分は透明板部材５２０が占め、残りの後半分をメッシュ部材５３０が占めている。透明板部材５２０が占める領域は前半分の１８０度の領域には限定されない。例えば、ユーザーの顔の両側に１００度ずつ、すなわち、全体で２００度の領域を透明板部材５２０が占めるように設定することも可能である。メッシュ部材５３０が少なくとも６０度の領域を占めていることが好ましく、この範囲内において、透明板部材５２０が占める領域を任意に設定することが可能である。
【００６１】
本実施形態に係る防虫カバー５００においては、環状部材５１０に形成されている貫通孔５１１は環状部材５１０の中央に位置している。例えば、貫通孔５１１の中心が後方に、すなわち、メッシュ部材５３０の側に偏心するように、貫通孔５１１の位置を決めることも可能である。このように、貫通孔５１１の中心を偏心させることにより、ユーザーの顔を防虫カバー５００の内部において自然に後方に位置させることが可能になり、貫通孔５１１の位置がより前方にある場合と比較して、ユーザーの視界（視野角度）をより広くすることができる。
【００６２】
また、貫通孔５１１の内縁をゴムで形成し、貫通孔５１１にヘルメット７００を嵌合させたときに、ヘルメット７００と貫通孔５１１との間に隙間ができないようにすることも可能である。
【００６３】
また、本実施形態に係る防虫カバー５００においては、防虫カバー本体５４０は透明板部材５２０及びメッシュ部材５３０に対して固定的に取り付けられているが、防虫カバー本体５４０を、透明板部材５２０及びメッシュ部材５３０に対して、ファスナー（図示せず）を介して連結することにより、着脱自在に取り付けることも可能である。
【００６４】
また、防虫カバー本体５４０、透明板部材５２０の下方に位置する領域をメッシュ部材５３０と同一構造のメッシュ部材から形成することも可能である。
【００６５】
また、本実施形態に係る防虫カバー５００においては、メッシュ部材５３０は外側メッシュ層と内側メッシュ層とからなる二層構造を有するものとして構成されているが、この層構造における層の数は二には限定されない。層の数として三以上の任意の数を選択することができる。すなわち、メッシュ部材５３０はＮ層構造（Ｎは２以上の整数）とすることができる。
【００６６】
さらに、メッシュ部材５３０をＮ層構造とする場合、最も外側に位置するメッシュ層が最も大きい硬度を有しており、内側に位置するメッシュ層ほど硬度が小さくなるように設定することができる。
【００６７】
（第二の実施形態）
図２（Ａ）は、本考案の第二の実施形態に係る防虫カバー６００の部分的な断面図である。
【００６８】
本実施形態に係る防虫カバー６００は、第一の実施形態に係る防虫カバー５００と比較して、環状部材の構造が異なっている。環状部材の構造が異なっている点を除いて、本実施形態に係る防虫カバー６００は第一の実施形態に係る防虫カバー５００と同一の構造を有している。
【００６９】
図２（Ａ）に示すように、本実施形態における環状部材６１０は、第一環状部材６１１と、第一環状部材６１１の下方に位置する第二環状部材６１２と、第一環状部材６１１と第二環状部材６１２との間に位置する芯材６１３と、から構成されている。
【００７０】
図２（Ｂ）は第一環状部材６１１、第二環状部材６１２及び芯材６１３の位置関係を示す分解斜視図である。
【００７１】
第一環状部材６１１及び第二環状部材６１２は第一の実施形態における環状部材５１０と同一の形状をなしている。
【００７２】
さらに、芯材６１３は第一環状部材６１１及び第二環状部材６１２と同一形状をなしており、大きな剛性を有する素材（例えば、厚紙や樹脂板）でつくられている。
【００７３】
芯材６１３は第一環状部材６１１の下面に固着される。例えば、芯材６１３は第一環状部材６１１の下面に接着剤を介して接着され、あるいは、第一環状部材６１１に対して縫着される。
【００７４】
第二環状部材６１２は、第一環状部材６１１の下面に芯材６１３が固着された状態において、第一環状部材６１１に対して、ヘルメット７００の鍔７０１を挟み込むスペースが形成される程度の距離に隔置されている。
【００７５】
本実施形態に係る防虫カバー６００の使用に際しては、例えば、予めヘルメット７００の鍔７０１を第一環状部材６１１と第二環状部材６１２との間のスペースに挟み込んだ後に、ヘルメット７００と防虫カバー６００とを併せて着用する。
【００７６】
本実施形態に係る防虫カバー６００によれば、ヘルメット７００の鍔７０１は第一環状部材６１１と第二環状部材６１２との間に挟み込まれた状態になる。芯材６１３を第一環状部材６１１の下面に固着したことにより、第一環状部材６１１の剛性が向上しているため、ヘルメット７００の鍔７０１を挟み込んでも、第一環状部材６１１または第二環状部材６１２が変形してしまうことがない。
【００７７】
このように、本実施形態に係る防虫カバー６００によれば、防虫カバー６００を被ることにより、ヘルメット７００の位置を防虫カバー６００に対して固定することができ、作業中にヘルメット７００が防虫カバー６００に対して変位し、作業の邪魔となることを防止することができる。
【００７８】
本実施形態に係る防虫カバー６００においては、第一環状部材６１１の下面に芯材６１３を固着したが、芯材６１３を固着する位置は第一環状部材６１１の下面には限定されない。
【００７９】
例えば、第一環状部材６１１の上面、第二環状部材６１２の上面または第二環状部材６１２の下面に芯材６１３を固着することも可能である。
【００８０】
また、使用する芯材６１３の数は１個に限定されない。必要に応じて、２個以上の芯材６１３を使用することが可能であり、２個以上の芯材６１３を使用する場合、第一環状部材６１１のみに固着してもよく、第二環状部材６１２のみに固着してもよく、あるいは、第一環状部材６１１と第二環状部材６１２とに分けて配置することも可能である。
【符号の説明】
【００８１】
５００  本考案の第一の実施形態に係る防虫カバー
５１０  環状部材
５１１  貫通孔
５２０  透明板部材
５３０  メッシュ部材
５３１  連結用生地
５４０  防虫カバー本体
６００  本考案の第二の実施形態に係る防虫カバー
６１０  環状部材
６１１  第一環状部材
６１２  第二環状部材
６１３  芯材
７００  ヘルメット
７０１  ヘルメットの鍔
７５０  作業着
【図１】
0003158974.tif 000003
【図２】
0003158974.tif 000004
【図３】
0003158974.tif 000005